(57)【特許請求の範囲】
【請求項１】
２つの躯体間の間隙を覆うエキスパンションジョイントカバー装置であって、
一方の躯体に固定されて他方の躯体の方向へと突出する複数のブラケットと、
前記ブラケットの上面に固定された屋根カバー材と、
前記ブラケットの下面に固定された軒天カバー材と、
他方の躯体に固定されて前記軒天カバー材の下面に対向する水切り部と、
前記ブラケットに取り付けられた取付金具と、
を備え、
前記取付金具は、前記軒天カバー材の前記一方の躯体側の端部を支持しており、
前記ブラケットと前記取付金具との間に、前記軒天カバー材の端部を挿入する挿入溝が形成されていることを特徴とする、エキスパンションジョイントカバー装置。
【請求項２】
前記取付金具は、前記軒天カバー材を固定するために前記ブラケットよりも側方に突出するように形成された取付片を備えることを特徴とする、請求項１記載のエキスパンションジョイントカバー装置。
【請求項３】
前記軒天カバー材は、前記軒天カバー材の上面からねじにより前記取付片に固定されることを特徴とする、請求項２記載のエキスパンションジョイントカバー装置。
【発明の詳細な説明】
【技術分野】
【０００１】
この発明は、ジョイントカバーによって２つの躯体間の間隙を覆うエキスパンションジョイントカバー装置に関する。
【背景技術】
【０００２】
この種の装置として、例えば特許文献１の第４図には、一方の躯体に庇を固定し、この庇が他方の躯体に固定された水切カバーの上を摺動することで、地震等の変位に対応できるようにしたものが開示されている。この特許文献１記載の発明では、庇を構成するにあたり、一方の躯体に固定されたブラケットの下面に、ボルトによって下カバーを取り付けている。
【先行技術文献】
【特許文献】
【０００３】
【特許文献１】実開平０２−１３４１０４号公報
【発明の概要】
【発明が解決しようとする課題】
【０００４】
しかし、上記した特許文献１記載の構造では、下カバーの取り付けが容易ではない。すなわち、下カバーを取り付ける際に躯体間の間隙において限られたスペースで作業しなければならず、しかも下カバーを下から押さえながら作業しなければならいため、作業性が悪かった。また、ボルトを固定するときに下カバーとブラケットとの間から工具等を差し込んで作業しなければならず、しかも固定箇所の視認性も悪いので、作業に危険と時間を要するという問題があった。
【０００５】
そこで、本発明は、ブラケットの下面に容易にカバー材を取り付けることができ、作業を安全かつ迅速に行うことができるエキスパンションジョイントカバー装置を提供することを課題とする。
【課題を解決するための手段】
【０００６】
本発明は、上記した課題を解決するためになされたものであり、以下を特徴とする。
【０００７】
請求項１記載の発明は、２つの躯体間の間隙を覆うエキスパンションジョイントカバー装置であって、一方の躯体に固定されて他方の躯体の方向へと突出する複数のブラケットと、前記ブラケットの上面に固定された屋根カバー材と、前記ブラケットの下面に固定された軒天カバー材と、他方の躯体に固定されて前記軒天カバー材の下面に対向する水切り部と、前記ブラケットに取り付けられた取付金具と、を備え、前記取付金具は、前記軒天カバー材の前記一方の躯体側の端部を支持しており、前記ブラケットと前記取付金具との間に、前記軒天カバー材の端部を挿入する挿入溝が形成されていることを特徴とする。
【０００８】
【０００９】
請求項２に記載の発明は、上記した請求項１記載の発明の特徴点に加え、前記取付金具は、前記軒天カバー材を固定するために前記ブラケットよりも側方に突出するように形成された取付片を備えることを特徴とする。
【００１０】
請求項３に記載の発明は、上記した請求項２に記載の発明の特徴点に加え、前記軒天カバー材は、前記軒天カバー材の上面からねじにより前記取付片に固定されることを特徴とする。
【発明の効果】
【００１１】
請求項１に記載の発明は上記の通りであり、一方の躯体に固定されて他方の躯体の方向へと突出する複数のブラケットと、ブラケットの上面に固定された屋根カバー材と、ブラケットの下面に固定された軒天カバー材と、他方の躯体に固定されて軒天カバー材の下面に対向する水切り部と、を備える。このような構成によれば、屋根カバー材と軒天カバー材とによって間隙を覆い、他方の躯体には水切り部が設けられているので、間隙部への雨水等の侵入を防ぐことができる。また、軒天カバー材が水切り部の上を移動することで、間隙を覆いつつ地震等の変位に追従させることができる。
【００１２】
また、ブラケットに取り付けられた取付金具を備え、取付金具は、軒天カバー材の一方の躯体側の端部を支持している。このような構成によれば、エキスパンションジョイントカバー装置を施工する際に、取付金具で軒天カバー材を支持しながら作業できるので、躯体間における困難な作業状況においても、作業を安全かつ迅速に行うことができる。
【００１３】
また、ブラケットと取付金具との間に、軒天カバー材の端部を挿入する挿入溝が形成される。このような構成によれば、挿入溝に軒天カバー材を挿入するだけで、軒天カバー材を容易に支持できるので、作業を安全かつ迅速に行うことができる。
【００１４】
また、請求項２に記載の発明は上記の通りであり、取付金具は、軒天カバー材を固定するためにブラケットよりも側方に突出するように形成された取付片を備える。このような構成によれば、ブラケットよりも側方に突出した取付片を使用することで、ブラケットが視界の妨げになったり、工具を挿入する邪魔になったりしないので、作業を安全かつ迅速に行うことができる。
【００１５】
また、請求項３に記載の発明は上記の通りであり、軒天カバー材は、軒天カバー材の上面からねじにより取付片に固定される。このような構成によれば、軒天カバー材が下方から支持された状態で安定的に作業をすることができ、作業を安全かつ迅速に行うことができる。また、取付片の上面がブラケットに覆われておらず露出している位置で固定するので、作業もしやすい。また、ねじの落下等の危険も生じにくい。
【図面の簡単な説明】
【００１６】
【図１】エキスパンションジョイントカバー装置の（ａ）平面図、（ｂ）正面図（他方の躯体側から見た図）である。
【図２】エキスパンションジョイントカバー装置の側断面図である。
【図３】エキスパンションジョイントカバー装置の側断面図であって、水切り部付近の一部拡大図である。
【図４】（ａ）エキスパンションジョイントカバー装置の側断面図であって、取付金具付近の一部拡大図、（ｂ）取付金具付近を上から見た一部拡大図である。
【図５】（ａ）躯体静止時のエキスパンションジョイントカバー装置の外観図、（ｂ）２つの躯体が互いに離れる方向に移動したときのエキスパンションジョイントカバー装置の外観図、（ｃ）２つの躯体が互いに接近する方向に移動したときのエキスパンションジョイントカバー装置の外観図である。
【図６】変形例に係るエキスパンションジョイントカバー装置の側断面図である。
【発明を実施するための形態】
【００１７】
本発明の実施形態について、図を参照しながら説明する。
【００１８】
本実施形態に係るエキスパンションジョイントカバー装置は、図１及び図２に示すような２つの躯体（一方の躯体５１及び他方の躯体５２）間に設けられる。このエキスパンションジョイントカバー装置は、一方の躯体５１に固定されたジョイントカバー１０と、他方の躯体５２に固定されて軒天カバー材１６の下面に対向する水切り部２０と、を備える。なお、ジョイントカバー１０の下方には、ジョイントカバー１０の下面側に侵入した雨水等を受けるための止水シート３５が設けられている。
【００１９】
ジョイントカバー１０は、一方の躯体５１の壁面５１ａに庇状に突出して設けられ、他方の躯体５２の天面５２ａの上まで延設されることで間隙５０を覆っている。このジョイントカバー１０は、一方の躯体５１に固定されて他方の躯体５２の方向へと突出する複数のブラケット１１と、ブラケット１１の上面に固定された屋根カバー材１５と、ブラケット１１の下面に固定された軒天カバー材１６と、ブラケット１１の下面に取り付けられた取付金具３０と、を備える。
【００２０】
ブラケット１１は、図１に示すように、間隙５０の長手方向に間隔を設けて複数配置されている。ブラケット１１の一端部は、固定金具１３（図２参照）を介して一方の躯体５１の壁面５１ａに固定されている。本実施形態に係るブラケット１１は、図２に示すように、断面コ字型で下面が水平となるように固定されており、他方の躯体５２の端縁を覆う位置まで突出している。また、ブラケット１１の上面は傾斜して形成されており、他方の躯体５２の方向に行くに従って徐々に下方に傾斜している。
【００２１】
なお、複数のブラケット１１は、連結手段１２によって互いに連結されている。本実施形態においては、図２に示すように、ブラケット１１の上面と、ブラケット１１の先端とに、長尺の連結手段１２をネジ等の固定具で取り付け、ブラケット１１を連結することで複数のブラケット１１がブレのない枠組形状となる。
【００２２】
屋根カバー材１５は、図２に示すように、傾斜したブラケット１１の上面に沿って固定された板状部材である。本実施形態においては、図１に示すように、端部屋根カバー材１５ａ及び中間屋根カバー材１５ｂの２種類の屋根カバー材１５を使用している。端部屋根カバー材１５ａは、間隙５０の長手方向に見て両端に配置される屋根カバー材１５である。また、中間屋根カバー材１５ｂは、端部屋根カバー材１５ａの間に配置される屋根カバー材１５である。なお、端部屋根カバー材１５ａは、ジョイントカバー１０の両端に配置されるので、ブラケット１１の側部を覆う形状となっている。これら複数の屋根カバー材１５は、間隙５０の長手方向に並設されて結合される。屋根カバー材１５を結合するジョイント部１０ａ（図１参照）には、シール材が充填され、雨水等の侵入を防止できるようになっている。
【００２３】
この屋根カバー材１５は、庇の上部を覆うカバー部１５ｃと、カバー部１５ｃの端部から下方に屈折して形成された屈折部１５ｄと、を備える。屈折部１５ｄは、図２に示すように、ブラケット１１の先端側に回り込むような形状となっている。ブラケット１１の先端に回り込んだ屈折部１５ｄは、連結手段１２を介して、ネジなどの固定具によってブラケット１１に固定され、カバー部１５ｃは傾斜したブラケット１１の上面に沿って固定される。また、端部屋根カバー材１５ａは、ジョイントカバー１０の側部を覆う側カバー部１５ｅを備える。この側カバー部１５ｅは両端に配置されるブラケット１１の側部に固定される。なお、両端部に配置されたブラケット１１の側面に補強材を取付け、その補強材に側カバー部１５ｅを固定してもよい。
【００２４】
軒天カバー材１６は、図２に示すように、ブラケット１１に固定された板状部材である。本実施形態においては、図１に示すように、端部軒天カバー材１６ａ及び中間軒天カバー材１６ｂの２種類の軒天カバー材１６を使用している。端部軒天カバー材１６ａは、間隙５０の長手方向に見て両側に配置される軒天カバー材１６である。また、中間軒天カバー材１６ｂは、端部軒天カバー材１６ａの間に配置される軒天カバー材１６である。なお、端部軒天カバー材１６ａは、ジョイントカバー１０の両端に配置されるので、ブラケット１１の側部を覆う形状となっている。これら複数の軒天カバー材１６は、間隙５０の長手方向に並設されて結合される。軒天カバー材１６を結合するジョイント部１０ａ（図１参照）には、シール材が充填され、雨水等の侵入を防止できるようになっている。
【００２５】
この軒天カバー材１６は、庇の下部を覆うカバー部１６ｃと、カバー部１６ｃの端部から上方に屈折して形成された屈折部１６ｄと、を備える。屈折部１６ｄは、図２に示すように、ブラケット１１の先端に回り込むような形状となっている。ブラケット１１の先端に回り込んだ屈折部１６ｄは、連結手段１２を介して、ネジなどの固定具によってブラケット１１に固定され、カバー部１６ｃは水平なブラケット１１の下面に沿って固定される。また、端部軒天カバー材１６ａは、ジョイントカバー１０の側部を覆う側カバー部１６ｅを備える。この側カバー部１６ｅは両端に配置されるブラケット１１の側部に固定される。なお、両端部に配置されたブラケット１１の側面に補強材を取付け、その補強材に側カバー部１６ｅを固定してもよい。また、屈折部１６ｄの反対側の端部（一方の躯体５１側の端部）は、後述する取付金具３０を介して、ブラケット１１に固定される。
【００２６】
なお、ジョイントカバー１０の先端部に設けられた連結手段１２の先端面には、図１（ｂ）に示すように、上方から延出した屋根カバー材１５が固定されるとともに、下方から延出した軒天カバー材１６が固定される。このため、屋根カバー材１５と軒天カバー材１６との境目にジョイント部１０ａが形成される。このジョイント部１０ａには、シール材が充填され、雨水等の侵入を防止する。また、両端に配置されるブラケット１１の側部には、上方から延出した屋根カバー材１５が固定されるとともに、下方から延出した軒天カバー材１６が固定される。このため、屋根カバー材１５と軒天カバー材１６との境目にジョイント部１０ａが形成される。このジョイント部１０ａには、シール材が充填され、雨水等の侵入を防止できるようになっている。
【００２７】
また、上記した屋根カバー材１５及び軒天カバー材１６には、図２に示すように、裏面側（ブラケット１１に臨む面）に断面ハット型の補強材１７が取付けられている。この補強材１７は、間隙５０の長手方向に延びる長尺材である。この補強材１７が設けられることで、屋根カバー材１５及び軒天カバー材１６の強度が補強されている。なお、本実施形態においては、連結手段１２と補強材１７は同じ部材を使用しているが、図２に示すように高さが合う部材であれば良いため、違う部材を使用してもよい。
【００２８】
取付金具３０は、図４に示すように、ブラケット１１の下面に溶接等の手段で予め固定される屈折した板状部材である。この取付金具３０は、ブラケット１１の下面に当接して固定される固定部３０ａと、固定部３０ａの端部から下方に垂下する垂下部３０ｂと、垂下部３０ｂの下端から水平方向に延びる取付片３０ｃと、を備える。取付片３０ｃは、図４（ｂ）に示すように、ブラケット１１の幅よりも大きい幅で形成されており、ブラケット１１よりも側方へ突出するように形成されている。この取付片３０ｃは、軒天カバー材１６の一方の躯体５１側の端部を下方から支持可能に形成されるとともに、支持した軒天カバー材１６を固定できるように形成されている。すなわち、図４（ａ）に示すように、ブラケット１１と取付金具３０の取付片３０ｃとの間には、軒天カバー材１６の端部を挿入する挿入溝３２が形成されている。この挿入溝３２は、他方の躯体５２の方向に向けて水平方向に開口しており、この開口から軒天カバー材１６のカバー部１６ｃを挿入できるようになっている。挿入溝３２に軒天カバー材１６のカバー部１６ｃを挿入すると、カバー部１６ｃが取付片３０ｃによって下方から支持される。この状態でカバー部１６ｃの上面からねじ３１によって取付片３０ｃにカバー部１６ｃを固定することができる。このとき、図４（ｂ）に示すように、ねじ３１で固定する箇所の上方にはブラケット１１が存在しないため、作業が容易となっている。
【００２９】
また、本実施形態においては、図１（ａ）及び図２に示すように、庇の下面をすべて軒天カバー材１６で覆うのではなく、一方の躯体５１側に軒天カバー材１６で覆われていない空間部１０ｂを設けている。この空間部１０ｂを設けることで、可動範囲内においては軒天カバー材１６が必ず水切り部２０に対向するようにしつつ、不要な範囲においては軒天カバー材１６を省略することができる。よって、水切りカバー材２２と軒天カバー材１６との間の隙間を確実に塞ぎつつ、部材の重量を減少させ、かつ、コストを抑制することができる。
【００３０】
水切り部２０は、他方の躯体５２の端部に設けられるものであり、図３に示すように、支持材２１と、水切りカバー材２２と、塞ぎ材２３と、を備える。
【００３１】
支持材２１は、他方の躯体５２の天面５２ａに取り付けられる金属製の部材であり、他方の躯体５２の天面５２ａに当接して固定されるベース部２１ａと、ベース部２１ａの一端部に設けられて垂直に立ちあがる立設部２１ｂと、ベース部２１ａの他端部に設けられたカバー取付部２１ｃと、を備える。立設部２１ｂは、後述する塞ぎ材２３を支持するための部位である。また、カバー取付部２１ｃは、後述する水切りカバー材２２を取り付けるための部位である。
【００３２】
水切りカバー材２２は、支持材２１の上部に取り付けられる金属製の部材であり、支持材２１の上方を覆う傾斜部２２ａと、傾斜部２２ａの一端部に設けられて垂直に立ちあがる垂直部２２ｂと、傾斜部２２ａの他端部に設けられた取付部２２ｃと、を備える。垂直部２２ｂは、後述する塞ぎ材２３を支持するための部位である。また、取付部２２ｃは、支持材２１に対してネジなどの固定具で取り付けられるための部位である。
【００３３】
塞ぎ材２３は、支持材２１の立設部２１ｂと水切りカバー材２２の垂直部２２ｂとに挟持されて、上方へ突出する部材である。この塞ぎ材２３は、ゴムや樹脂などの弾性材料で形成されており、軒天カバー材１６に接触している。この塞ぎ材２３が水切りカバー材２２と軒天カバー材１６との間の隙間を塞ぐことで、ジョイントカバー１０の内側にホコリや雨水等が侵入することを防止している。また、地震などによって躯体が変動したときには、この塞ぎ材２３が変形しつつ軒天カバー材１６の下面の摺動するようになっている。また、塞ぎ材２３が水切りカバー材２２と軒天カバー材１６の隙間を塞いでいるため、他方の躯体５２が上方へ変位し、軒天カバー材１６に水切りカバー材２２が接近しても隙間によって接触するおそれがない。
【００３４】
このように形成したエキスパンションジョイントカバー装置は、躯体の静止時においては図５（ａ）に示すような状態となっている。そして、地震などによって２つの躯体が互いに離れる方向に変位すると、図５（ｂ）に示すように、水切り部２０の上を軒天カバー材１６が摺動する。また、地震などによって２つの躯体が互いに接近する方向に変位した場合でも、図５（ｃ）に示すように、水切り部２０の上を軒天カバー材１６が摺動する。同様に、２つの躯体が間隙５０の幅方向に変位した場合も、水切り部２０の上を軒天カバー材１６が摺動する。
【００３５】
以上説明したように、本実施形態によれば、一方の躯体５１に固定されて他方の躯体５２の方向へと突出する複数のブラケット１１と、ブラケット１１の上面に固定された屋根カバー材１５と、ブラケット１１の下面に固定された軒天カバー材１６と、他方の躯体５２に固定されて軒天カバー材１６の下面に対向する水切り部２０と、を備える。このような構成によれば、屋根カバー材１５と軒天カバー材１６とによって間隙５０を覆い、他方の躯体５２には水切り部２０が設けられているので、間隙５０への雨水等の侵入を防ぐことができる。また、軒天カバー材１６が水切り部２０の上を移動することで、間隙５０を覆いつつ地震等の変位に追従させることができる。
【００３６】
また、ブラケット１１の下面に取り付けられた取付金具３０を備え、取付金具３０は、軒天カバー材１６の一方の躯体５１側の端部を下方から支持している。このような構成によれば、エキスパンションジョイントカバー装置を施工する際に、取付金具３０で軒天カバー材１６を支持しながら作業できるので、躯体間における困難な作業状況においても、作業を安全かつ迅速に行うことができる。
【００３７】
また、ブラケット１１と取付金具３０との間に、軒天カバー材１６の端部を挿入する挿入溝３２が形成される。このような構成によれば、挿入溝３２に軒天カバー材１６を挿入するだけで、軒天カバー材１６を容易に支持できるので、作業を安全かつ迅速に行うことができる。
【００３８】
また、取付金具３０は、軒天カバー材１６を固定するためにブラケット１１よりも側方に突出するように形成された取付片３０ｃを備える。このような構成によれば、ブラケット１１よりも側方に突出した取付片３０ｃを使用することで、ブラケット１１が視界の妨げになったり、工具を挿入する邪魔になったりしないので、作業を安全かつ迅速に行うことができる。
【００３９】
また、軒天カバー材１６は、カバー部１６ｃの上面からねじ３１により取付片３０ｃに固定される。このような構成によれば、軒天カバー材１６が下方から支持された状態で安定的に作業をすることができ、作業を安全かつ迅速に行うことができる。また、取付片３０ｃの上面がブラケット１１に覆われておらず露出している位置で固定するので、作業もしやすい。また、ねじ３１の落下等の危険も生じにくい。
【００４０】
なお、上記した実施形態においては、一方の躯体５１の壁面５１ａにブラケット１１を固定したが、これに限らず、図６に示すように、一方の躯体５１の天面５１ｂにブラケット１１を固定してもよい。
【符号の説明】
【００４１】
１０  ジョイントカバー
１０ａ  ジョイント部
１０ｂ  空間部
１１  ブラケット
１２  連結手段
１３  固定金具
１５  屋根カバー材
１５ａ  端部屋根カバー材
１５ｂ  中間屋根カバー材
１５ｃ  カバー部
１５ｄ  屈折部
１５ｅ  側カバー部
１６  軒天カバー材
１６ａ  端部軒天カバー材
１６ｂ  中間軒天カバー材
１６ｃ  カバー部
１６ｄ  屈折部
１６ｅ  側カバー部
１７  補強材
２０  水切り部
２１  支持材
２１ａ  ベース部
２１ｂ  立設部
２１ｃ  カバー取付部
２２  水切りカバー材
２２ａ  傾斜部
２２ｂ  垂直部
２２ｃ  取付部
２３  塞ぎ材
３０  取付金具
３０ａ  固定部
３０ｂ  垂下部
３０ｃ  取付片
３１  ねじ
３２  挿入溝
３５  止水シート
５０  間隙
５１  一方の躯体
５１ａ  壁面
５１ｂ  天面
５２  他方の躯体
５２ａ  天面
【図１】
0006716312.tif 000002
【図２】
0006716312.tif 000003
【図３】
0006716312.tif 000004
【図４】
0006716312.tif 000005
【図５】
0006716312.tif 000006
【図６】
0006716312.tif 000007